(57)【特許請求の範囲】
【請求項１】
複数の座席画像を含む座席表を示す画像を表示する表示部と、
前記表示部上での被検出物の第１移動軌跡を検出する検出部と、
前記第１移動軌跡に基づいて、前記複数の座席画像の順番を決定する決定部と、
前記複数の座席画像のそれぞれに対応する複数の出力用画像を生成するように、原稿画像を処理する処理部と、
前記決定部によって決定された前記順番に従って前記複数の出力用画像の各々を複数のシートのそれぞれに形成する画像形成部と
を備え、
前記複数の出力用画像のうち少なくとも２つの出力用画像は、少なくとも一部分が互いに異なっている、画像形成装置。
【請求項２】
前記第１移動軌跡は、前記被検出物が前記複数の座席画像上を通過するように移動したときの前記被検出物の移動軌跡を示し、
前記決定部は、前記被検出物が前記複数の座席画像上を通過した順番に基づいて、前記複数の座席画像の前記順番を決定する、請求項１に記載の画像形成装置。
【請求項３】
前記複数の座席画像の各々と個人の識別情報とを関連付けたテーブルを記憶する記憶部を更に備え、
前記処理部は、前記出力用画像が前記識別情報を含むように、前記原稿画像を処理する、請求項１に記載の画像形成装置。
【請求項４】
前記検出部は、前記表示部上での前記被検出物の第２移動軌跡を検出し、
前記第２移動軌跡は、前記被検出物が前記複数の座席画像のうち一部の座席画像を囲むように移動したときの前記被検出物の移動軌跡を示し、
前記処理部は、前記一部の座席画像に対応して、前記第２移動軌跡が示す図形の種類に関連付けられた処理を前記原稿画像に対して実行し、前記出力用画像を生成する、請求項１に記載の画像形成装置。
【請求項５】
前記検出部は、前記表示部上での前記被検出物の第３移動軌跡を検出し、
前記第３移動軌跡は、前記表示部のうち前記複数の座席画像が表示されている領域の外部での前記被検出物の移動軌跡を示し、
前記処理部は、前記第３移動軌跡が示す図形の種類に関連付けられた処理を実行する、請求項１に記載の画像形成装置。
【請求項６】
前記第３移動軌跡の始端又は終端と、前記第１移動軌跡の終端又は始端とが接続されている、請求項５に記載の画像形成装置。
【請求項７】
前記検出部は、前記表示部上での前記被検出物の第４移動軌跡を検出し、
前記第４移動軌跡は、前記複数の座席画像が表示されている領域の内部での前記被検出物の移動軌跡を示し、
前記処理部及び前記画像形成部の少なくとも一方は、前記複数の座席画像のうち前記第４移動軌跡によって特定された座席画像に対応して、前記第４移動軌跡が示す図形の種類に関連付けられた処理を実行する、請求項１に記載の画像形成装置。
【請求項８】
前記複数の座席画像の各々と個人の識別情報とを関連付けたテーブルを記憶する記憶部を更に備え、
前記処理部は、前記識別情報のリストを作成し、
前記リストは、少なくとも１つの前記座席画像に関連付けられた前記識別情報を含み、前記少なくとも１つの前記座席画像は、前記複数の座席画像のうち前記第４移動軌跡によって特定された座席画像である、請求項７に記載の画像形成装置。
【請求項９】
原稿から前記座席表を示す画像を読み取る読取部を更に備える、請求項１に記載の画像形成装置。
【発明の詳細な説明】
【技術分野】
【０００１】
本発明は、画像形成装置に関する。
【背景技術】
【０００２】
特許文献１に記載の画像形成装置は、印刷をする際にユーザーが設定した「印刷設定」を「お気に入り」として登録する機能を有する。特許文献１に記載の画像形成装置によれば、印刷設定を行うための操作を簡略化できる。例えば、特許文献１に記載の画像形成装置は、登録された印刷設定で、同じ画像を複数のシートに形成することができる。
【先行技術文献】
【特許文献】
【０００３】
【特許文献１】特開２０１２−１８６９５号公報
【発明の概要】
【発明が解決しようとする課題】
【０００４】
しかしながら、特許文献１に記載の画像形成装置は、複数のシートに異なる画像を形成し、複数のシートを座席の順番に出力することは容易ではない。【０００５】
本発明は、上記課題に鑑みてなされたものであり、複数のシートを複数の座席に配布することが容易になるように出力順を設定できる画像形成装置を提供することを目的としている。
【課題を解決するための手段】
【０００６】
本発明の一局面によれば、画像形成装置は、表示部、検出部、決定部、処理部、及び画像形成部を備える。表示部は、複数の座席画像を含む座席表を示す画像を表示する。検出部は、前記表示部上での被検出物の第１移動軌跡を検出する。決定部は、前記第１移動軌跡に基づいて、前記複数の座席画像の順番を決定する。処理部は、前記複数の座席画像にそれぞれ対応する複数の出力用画像を生成するように、原稿画像を処理する。画像形成部は、前記決定部によって決定された前記順番に従って前記複数の出力用画像の各々を複数のシートのそれぞれに形成する。ただし、前記複数の出力用画像のうち少なくとも２つの出力用画像は、少なくとも一部分が互いに異なっている。
【発明の効果】
【０００７】
本発明によれば、複数のシートを複数の座席に配布することが容易になるように出力順を設定できる。
【図面の簡単な説明】
【０００８】
【図１】本発明の実施形態１に係る画像形成装置を示す図である。
【図２】本発明の実施形態１に係る画像形成装置の構成を示すブロック図である。
【図３】本発明の実施形態１に係る表示部に表示される座席表画像の一例を示す図である。
【図４】図３に示す座席表画像に第１移動軌跡が描画された図である。
【図５】図３に示す座席表画像に他の第１移動軌跡が描画された図である。
【図６】本発明の実施形態１に係る画像形成装置の出力物の一例を示す図である。
【図７】本発明の実施形態１に係る出力処理のフローチャートである。
【図８】本発明の実施形態２に係る第２移動軌跡の一例を示す図である。
【図９】本発明の実施形態２に係る原稿の一例を示す図である。
【図１０】本発明の実施形態２に係る画像形成装置の出力物の一例を示す図である。
【図１１】本発明の実施形態２に係る出力処理のフローチャートである。
【図１２】本発明の実施形態３に係る複合軌跡の一例を示す図である。
【図１３】本発明の実施形態３に係る画像形成装置の出力物の一例を示す図である。
【図１４】本発明の実施形態３に係る出力処理のフローチャートである。
【図１５】本発明の実施形態４に係る複合軌跡の一例を示す図である。
【図１６】本発明の実施形態４に係る画像形成装置の出力物の一例を示す図である。
【図１７】本発明の実施形態４に係る出力処理のフローチャートである。
【図１８】本発明の実施形態４に係る複合軌跡の一例を示す図である。
【図１９】本発明の実施形態４の変形例に係る画像形成装置の出力物の一例を示す図である。
【発明を実施するための形態】
【０００９】
以下、本発明の実施形態を、図１〜図１９を参照して説明する。なお、図中、同一又は相当部分については同一の参照符号を付して説明を繰り返さない。
【００１０】
《実施形態１》
図１を参照して、本発明の実施形態１に係る画像形成装置の概略構成を説明する。図１は、本発明の実施形態１に係る画像形成装置１を示す。画像形成装置１は、例えば複合機であり、スキャン機能、コピー機能、印刷機能、及びファクシミリ機能を有する。
【００１１】
図１に示すように、画像形成装置１は、制御部１０と、表示部２０と、検出部３０と、記憶部４０と、原稿搬送装置１００と、画像読取部１１０と、収納部１２０と、搬送部１３０と、画像形成部１４０と、定着部１５０と、排出部１６０とを備える。制御部１０は、表示部２０、検出部３０、記憶部４０、原稿搬送装置１００、画像読取部１１０、収納部１２０、搬送部１３０、画像形成部１４０、定着部１５０、及び排出部１６０の動作を制御する。
【００１２】
制御部１０は、例えば、プロセッサーである。プロセッサーは、例えば、中央処理装置を含む。
【００１３】
表示部２０は、例えば、液晶ディスプレーである。表示部２０は、座席表を示す画像（以下、座席表画像と記載する）を表示する。座席表画像は、複数の座席画像を含む。複数の座席画像は、例えば、教室又は試験会場に配置された複数の座席に対応している。検出部３０は、例えば、タッチセンサーである。本実施形態において、検出部３０は、表示部２０の上方に配設されて、表示部２０（検出部３０）上で被検出物が移動した跡を示す移動軌跡を検出する。検出部３０は、移動軌跡に対応する信号を制御部１０へ送信する。被検出物は、例えば、タッチペン、スタイラス、又は指である。
【００１４】
記憶部４０は、例えば、メモリーである。記憶部４０は、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）等を含む。また、記憶部４０は、ＣＤ−ＲＯＭのような光ディスク（コンピュータ記憶媒体）を含む。また、記憶部４０は、ハードディスクドライブのような磁気ディスクストレージを更に含んでもよい。記憶部４０は、データ及びコンピュータープログラムを記憶する。
【００１５】
原稿搬送装置１００は、画像読取部１１０に向けて原稿を搬送する。画像読取部１１０（読取部）は、例えば、スキャナーである。画像読取部１１０（読取部）は、原稿から原稿の画像（以下、原稿の画像を原稿画像と記載する）を読み取り原稿画像を示す画像データを生成する。原稿画像を示す画像データは、制御部１０へ送信される。収納部１２０は、画像が形成されるシートＴを収納する。搬送部１３０は、収納部１２０から、画像形成部１４０及び定着部１５０を経て、排出部１６０までシートＴを搬送する。
【００１６】
画像形成部１４０は、シートＴに画像を形成する。本実施形態において、画像形成部１４０は、電子写真方式によってシートＴに画像を形成する。なお、画像形成部１４０は、インクジェット方式によってシートＴに画像を形成してもよい。画像形成部１４０は、例えば、露光装置、帯電装置、感光体ドラム、及び現像装置を含む。
【００１７】
定着部１５０は、加熱部材及び加圧部材を含む。定着部１５０は、画像が形成されたシートＴを加熱及び加圧して、シートＴに画像を定着させる。排出部１６０はシートＴを排出（出力）する。
【００１８】
次に、図２を参照して、本実施形態に係る制御部１０について説明する。図２は、本実施形態１に係る画像形成装置１の構成を示すブロック図である。図２に示すように、制御部１０は、決定部１０１、及び処理部１０２を含む。制御部１０は、記憶部４０に記憶されたコンピュータープログラムを実行することによって、決定部１０１及び処理部１０２として機能する。
【００１９】
決定部１０１は、第１移動軌跡に基づいて、複数の座席画像の順番を決定する。処理部１０２は、出力用画像（出力用画像の画像データ）を生成する。詳しくは、処理部１０２は、複数の座席画像にそれぞれ対応する複数の出力用画像を生成するように、原稿画像（原稿画像の画像データ）に対して処理（画像処理）を実行する。なお、原稿画像は、例えば、ユーザーがワープロソフトのようなアプリケーションソフトウェアを使用して作成された画像であってもよい。
【００２０】
出力用画像は、画像形成部１４０によってシートＴに形成される画像である。代表的には、原稿画像の一部分を削除した画像、原稿画像の少なくとも一部分の色彩を変更した画像、原稿画像の少なくとも一部分を拡大又は縮小した画像、又は原稿画像に他の画像を追加した画像である。あるいは、出力用画像は、原稿画像が文章を示す場合に、原稿画像が示す文章の翻訳文を示す画像である。
【００２１】
本実施形態において、画像形成部１４０は、複数の出力用画像の各々を複数のシートＴのそれぞれに形成する。複数のシートＴは、決定部１０１が決定した順番に従って形成される。複数の出力用画像のうち少なくとも２つの出力用画像は、少なくとも一部が互いに異なっている。
【００２２】
以上、図１及び図２を参照して説明したように、実施形態１に係る画像形成装置１は、表示部２０（検出部３０）上での被検出物の第１移動軌跡を検出すると、第１移動軌跡に基づいて、複数の座席画像の順番を決定する。処理部１０２は、原稿画像に対して処理を実行することによって複数の座席画像のそれぞれに対応する複数の出力用画像を生成する。画像形成部１４０は、決定された順番に従って複数の出力用画像の各々を複数のシートＴのそれぞれに形成する。換言すると、複数のシートＴは、決定された順番に従って排出部１６０から排出（出力）される。ただし、複数の出力用画像のうち少なくとも２つの出力用画像は、少なくとも一部が互いに異なっている。複数の座席画像は、それぞれ複数の座席と対応している。従って、本実施形態に係る画像形成装置１によれば、画像形成装置１は、複数の座席の並んでいる順番に、座席ごとの画像が形成された複数のシートを出力できる。その結果、複数のシートＴを複数の座席に配布することが容易になる。
【００２３】
次に、図３を参照して、本実施形態に係る座席表画像２００を説明する。図３は、実施形態１に係る表示部２０に表示される座席表画像２００の一例を示す図である。なお、図３に示す例では、理解を容易にするために、各座席画像対応する個人の識別情報を示している。
【００２４】
図３に示すように、表示部２０は、座席表画像２００を表示する。座席表画像２００は、複数の座席画像２０１を含む。複数の座席画像２０１の配置は、教室又は試験会場における複数の座席の配置に対応している。また、各座席画像２０１は、各座席画像２０１に対応する座席に着席する個人の識別情報と関連付けられている。記憶部４０は、複数の座席画像２０１の各々と個人の識別情報とを関連付けたテーブルを記憶している。個人の識別情報は、例えば、個人の氏名、及び／又は受験番号を含む。
【００２５】
本実施形態において、座席表画像２００は、複数の座席画像２０１を含む座席表画像テンプレートを使用して制御部１０に入力される。座席表テンプレートは、記憶部４０が記憶している。ユーザーは、座席表テンプレートを実際の座席の配置に基づいて編集する。ユーザーは、画像形成装置１の操作部を操作することによって、座席表テンプレートを編集することができる。座席表画像２００は、座席表テンプレートを編集することによって作成され、制御部１０に入力される。
【００２６】
次に、図４及び図５を参照して、本実施形態に係る第１移動軌跡２１０を説明する。図４は、図３に示す座席表画像２００に第１移動軌跡２１０が描画された図である。図５は、図３に示す座席表画像２００に他の第１移動軌跡２１０が描画された図である。
【００２７】
図４及び図５に示すように、第１移動軌跡２１０は、矢頭２１１を含む。矢頭２１１は、第１移動軌跡２１０の終端を示す。第１移動軌跡２１０は、被検出物が複数の座席画像２０１上を通過するように移動したときの被検出物の移動軌跡を示す。具体的には、第１移動軌跡２１０は、表示部２０の表示面に表示された複数の座席画像２０１（検出部３０）上に接触しながらタッチペン等の被検出物が移動した軌跡を示す。制御部１０は、検出部３０から移動軌跡に対応する信号が送信されると、第１移動軌跡２１０を表示するように、表示部２０を制御する。ユーザーは、複数の座席画像２０１を所望の順番で通過するようにタッチペンを移動させる。なお、所望の順番は、例えば、複数のシートＴを複数の座席に配布するためにユーザーにとって都合のよい順番である。
【００２８】
次に、図２、図４及び図５を参照して、本実施形態に係る決定部１０１が複数の座席画像２０１の順番を決定する方法を説明する。図４及び図５に示す例では、決定部１０１は、タッチペンが複数の座席画像２０１上を通過した順番に基づいて、複数の座席画像２０１の順番を決定する。
【００２９】
図４に示す例では、決定部１０１は、座席表画像２００において、左端の列の先頭（一番上）に位置する座席画像２０１、つまり識別番号「Ａ００１」の座席の順番を「１番」に決定し、左端の列の上から２番目に位置する座席画像２０１（識別番号「Ａ００２」の座席）及び左端の列の上から３番目に位置する座席画像２０１（識別番号「Ａ００３」の座席）の順番をそれぞれ「２番」及び「３番」に決定する。次に、決定部１０１は、左から２番目の列を左端の列と同様に、先頭に位置する座席画像２０１（識別番号「Ｂ００１」の座席）、上から２番目に位置する座席画像２０１（識別番号「Ｂ００２」の座席）、及び上から３番目に位置する座席画像２０１（識別番号「Ｂ００３」の座席）の順番をそれぞれ「４番」、「５番」、及び「６番」に決定する。続いて、決定部１０１は、左から３番目の列も左端の列及び左から２番目の列と同様にして、先頭に位置する座席画像２０１（識別番号「Ｃ００１」の座席）、上から２番目に位置する座席画像２０１（識別番号「Ｃ００２」の座席）、及び上から３番目に位置する座席画像２０１（識別番号「Ｃ００３」の座席）の順番をそれぞれ、「７番」、「８番」、及び「９番」に決定する。最後に、決定部１０１は、右端の列も左端の列、左から２番目の列、及び左から３番目の列と同様にして、先頭に位置する座席画像２０１（識別番号「Ｄ００１」の座席）、上から２番目に位置する座席画像２０１（識別番号「Ｄ００２」の座席）、及び上から３番目に位置する座席画像２０１（識別番号「Ｄ０００３」の座席）の順番をそれぞれ「１０番」、「１１番」、及び「１２番」に決定する。
【００３０】
図５に示す例では、決定部１０１は、座席表画像２００において、左端の列の先頭（一番上）に位置する座席画像２０１（識別番号「Ａ００１」の座席）の順番を「１番」に決定し、左端の列の上から２番目に位置する座席画像２０１（識別番号「Ａ００２」の座席）及び上から３番目に位置する座席画像２０１（識別番号「Ａ００３」の座席）の順番をそれぞれ「２番」及び「３番」に決定する。次に、決定部１０１は、左から２番目の列の最後尾（一番下）に位置する座席画像２０１（識別番号「Ｂ００３」の座席）の順番を「４番」に決定し、左から２番目の列の上から２番目に位置する座席画像２０１（識別番号「Ｂ００２」の座席）、及び一番上に位置する座席画像２０１（識別番号「Ｂ００１」の座席）の順番をそれぞれ「５番」及び「６番」に決定する。続いて、決定部１０１は、左から３番目の列について、左端の列と同様に、一番上に位置する座席画像２０１（識別番号「Ｃ００１」の座席）、上から２番目に位置する座席画像２０１（識別番号「Ｃ００２」の座席）、及び上から３番目に位置する座席画像２０１（識別番号「Ｃ００３」の座席）の順番をそれぞれ、「７番」、「８番」、及び「９番」に決定する。最後に、決定部１０１は、右端の列について、左端から２番目の列と同様にして、最後尾に位置する座席画像２０１（識別番号「Ｄ００３」の座席）、上から２番目に位置する座席画像２０１（識別番号「Ｄ００２」の座席）、及び先頭に位置する座席画像２０１（識別番号「Ｄ００１」の座席）の順番をそれぞれ、「１０番」、「１１番」、及び「１２番」に決定する。
【００３１】
以上、図３〜図５を参照して説明したように、本実施形態の画像形成装置１は、第１移動軌跡２１０に基づいて複数の座席画像２０１の順番を決定する。第１移動軌跡２１０は、複数の座席画像２０１上を通過するように移動したときの被検出物の移動軌跡を示す。したがって、ユーザーは、表示部２０（検出部３０）上で複数の座席画像２０１を順次指定するようにタッチペンを移動するだけで、画像形成部１４０が複数のシートＴを形成するための順番を決定できる。従って、ユーザーは、直感的に理解しやすい操作で画像形成部１４０によって複数のシートＴが形成される順番を決定できる。したがって、本実施形態の画像形成装置１によれば、ユーザーは、複数のシートＴの出力順を設定することが容易になる。
【００３２】
次に、図６及び図７を参照して、本実施形態に係る制御部１０が実行する出力処理を説明する。図６は、実施形態１に係る画像形成装置１の出力物（シートＴ）の一例を示す図である。
【００３３】
本実施形態において、出力用画像３１０は、教室又は試験会場で複数の座席に配布される答案用紙を示す画像である。図６に示すように、シートＴには、出力用画像３１０が形成されている。出力用画像３１０は、複数の回答欄３１１と、受験番号の表示欄３１２とを含む。受験番号の表示欄３１２には、個人の識別情報としての受験番号を示す画像（画像「Ａ００１」）が形成されている。処理部１０２は、原稿画像を示す画像データが入力されると、記憶部４０に記憶された受験番号を示すデータを読み出して処理を実行する。詳しくは、処理部１０２は、原稿画像を示す画像データ（原稿画像）を受信すると、原稿画像に対して処理を実行して、複数の出力用画像３１０の各々が、対応する受験番号を示す画像を含むように出力用画像３１０を示す画像データを生成する。なお、本実施形態において、原稿画像は、出力用画像３１０のうち、受験番号の表示欄３１２に形成された画像「Ａ００１」を含まない画像である。
【００３４】
以上、図６を参照して説明したように、本実施形態の画像形成装置１においては、出力用画像３１０が識別情報（例えば、受験番号）を含むように原稿画像が処理される。また、本実施形態によれば、ユーザーは、複数のシートＴが出力される順番を指定できる。従って、指定した順番通りに、複数のシートＴを複数の座席に配布することにより、複数の座席に対応する（着席する）個人に識別情報が記載された出力物が配布される。これにより、各座席に着席する個人が画像形成装置１の出力物に誤った識別情報を記載することを防止できる。具体的には、各座席に着席する受験者が誤って受験番号を答案用紙に記載することを防止できる。
【００３５】
次に、図７を参照して、実施形態１に係る出力処理を詳細に説明する。図７は、実施形態１に係る出力処理のフローチャートである。
【００３６】
図７のステップＳ１０１において、制御部１０は、画像読取部１１０が原稿から原稿画像を読み取るように、画像読取部１１０を制御する。画像読取部１１０が原稿から原稿画像を読み取ることで、処理部１０２は原稿画像（原稿画像の画像データ）を取得する。
【００３７】
ステップＳ１０２において、制御部１０は、検出部３０が表示部２０（検出部３０）上でのタッチペンによる第１移動軌跡２１０を検出したか否かを判定する。詳しくは、制御部１０は、検出部３０から送信される信号に基づいて、タッチペンの移動軌跡が複数の座席画像２０１上を順次通過するように移動しているか否かを判定する。第１移動軌跡２１０を検出しないと判定された場合（ステップＳ１０２でＮｏ）、処理はステップＳ１０９に進む。ステップＳ１０９においては、通常の画像形成処理が行われる。一方、第１移動軌跡２１０を検出したと判定された場合（ステップＳ１０２でＹｅｓ）、処理はステップＳ１０３に進む。
【００３８】
ステップＳ１０３において、決定部１０１は、第１移動軌跡２１０に基づいて、複数の座席画像２０１の順番を決定する。
【００３９】
ステップＳ１０４において、制御部１０は、順番「１番」の座席画像２０１を選択する。
【００４０】
ステップＳ１０５において、処理部１０２は、選択した座席画像２０１に関連付けられた個人の識別情報として、受験番号を示す情報を記憶部４０から取得する。
【００４１】
ステップＳ１０６において、処理部１０２は、原稿画像（原稿画像を示す画像データ）に対して処理を実行することによって、選択した座席画像２０１に対応する出力用画像（出力用画像の画像データ）を生成する。具体的には、選択した座席画像２０１に対応する受験番号が出力用画像に含まれるように、処理部１０２は、原稿画像（原稿画像を示す画像データ）に対して処理を実行する。
【００４２】
ステップＳ１０７において、画像形成部１４０は、選択した座席画像２０１に対応して生成された出力用画像の画像データに基づいてシートＴに出力用画像を形成する。この結果、シートＴが出力される。
【００４３】
ステップＳ１０８において、制御部１０は、決定部１０１が順番を決定した全ての座席画像２０１に対応する出力用画像を、画像形成部１４０がシートＴに形成したか否かを判定する。全ての座席画像２０１に対応する出力用画像を画像形成部１４０がシートＴに形成したと判定された場合（ステップＳ１０８でＹｅｓ）、処理は終了する。一方、全ての座席画像２０１に対応する出力用画像がシートＴに形成されていないと判定された場合（ステップＳ１０８でＮｏ）、処理はステップＳ１１０に進む。
【００４４】
ステップＳ１１０において、制御部１０は、次の順番の座席画像２０１を選択し、処理はステップＳ１０５に戻る。
【００４５】
以上、図１〜図７を参照して説明したように、本実施形態の画像形成装置１は、第１移動軌跡２１０に基づいて決定した順番に従って、各座席の受験者に対応した受験番号を含む答案用紙を作成し、出力する。従って、ユーザーは、各座席の受験者に、受験番号を含む答案用紙を容易に配布できる。
【００４６】
なお、本実施形態１においては、座席表画像２００は、座席表テンプレートを編集することによって制御部１０に入力された。しかしながら、本発明はこれに限られない。例えば、座席表画像２００は、予め座席表画像２００が形成された原稿を画像読取部１１０が読み取ることによって、制御部１０に入力されてもよい。画像読取部１１０が読み取る座席表画像２００はユーザーの手書きであってもよい。
【００４７】
以上説明したように、本実施形態の画像形成装置１によれば、座席表画像２００をシートＴから読み取って、制御部１０に入力できる。従って、予めユーザーが作成した座席表画像２００を制御部１０に容易に入力することができる。
【００４８】
《実施形態２》
次に、図７、及び図８〜図１１を参照して、本発明の実施形態２を説明する。実施形態１の出力処理においては、制御部１０は、個人ごとに出力用画像を生成した。実施形態２の出力処理においては、制御部１０は、複数の座席画像２０１に対してグループを設定し、グループごとに出力用画像を生成する。以下、第２実施形態が第１実施形態と異なる点を説明する。
【００４９】
まず、図８を参照して、実施形態２に係る第２移動軌跡２５０について説明する。図８は、実施形態２に係る第２移動軌跡２５０の一例を示す図である。詳しくは、図８は、図３に示す座席表画像２００に第２移動軌跡２５０が描画された図である。
【００５０】
本実施形態に係る検出部３０は、第２移動軌跡２５０を更に検出する。第２移動軌跡２５０は、タッチペンが複数の座席画像２０１のうち一部の座席画像２０１を囲むように移動したときのタッチペンの移動軌跡を示す。検出部３０は、タッチペンの移動軌跡を示す信号を制御部１０へ送信する。
【００５１】
図８に示すように、ユーザーが、表示部２０（検出部３０）上で複数の座席画像２０１のうち一部の座席画像２０１を囲むようにタッチペンを移動させると、表示部２０は、複数の座席画像２０１を含む座席表画像２００と、複数種類の図形を示す第２移動軌跡２５０とを表示する。本実施形態において、第２移動軌跡２５０は、第２移動軌跡２５１、第２移動軌跡２５２、及び第２移動軌跡２５３を含む。第２移動軌跡２５１は、略楕円形であり、第２移動軌跡２５２は、略長方形であり、第２移動軌跡２５３は、略三角形である。制御部１０は、パターンマッチングによって、第２移動軌跡２５０が示す図形の種類を特定する。
【００５２】
処理部１０２は、少なくとも一部分がタッチペンの移動軌跡の内部に位置する座席画像２０１をタッチペンの移動軌跡（第２移動軌跡２５０）によって囲まれていると判定する。換言すると、処理部１０２は、複数の座席画像２０１のうち、少なくとも一部分が第２移動軌跡２５０によって囲まれた座席画像２０１を特定する。
【００５３】
本実施形態に係る処理部１０２は、複数の座席画像２０１のうち第２移動軌跡２５０によって囲まれた座席画像２０１に対応して、第１処理を（第２移動軌跡２５０が示す図形の種類に関連付けられた処理）を原稿画像（原稿画像の画像データ）に対して実行し、出力用画像（出力用画像の画像データ）を生成する。記憶部４０は、第２移動軌跡２５０が示す図形の種類を示すデータと、第１処理を示すデータ（第１処理情報）とを関連付けたテーブルを記憶している。処理部１０２は、第２移動軌跡２５０が示す図形の種類が特定されると、第２移動軌跡２５０が示す図形の種類と関連付けられた第１処理情報を記憶部４０から読み出す。処理部１０２は、記憶部４０から読み出した第１処理情報によって示される第１処理を原稿画像（原稿画像データ）に対して実行し、出力用画像（出力用画像データ）を生成する。
【００５４】
以上、図８を参照して説明したように、本実施形態の画像形成装置１は、複数の座席画像２０１のうち一部の座席画像２０１が第２移動軌跡２５０により囲まれると、複数の座席画像２０１のうちの一部の座席画像２０１を特定する。画像形成装置１は、特定した座席画像２０１に対応する（特定した座席画像２０１が囲まれた第２移動軌跡２５０が示す図形の種類に関連付けられた）第１処理を原稿画像（原稿画像の画像データ）に対して実行し、出力用画像（出力用画像の画像データ）を生成することができる。従って、原稿画像から様々な出力用画像を生成することができ、様々な出力用画像が形成された複数のシートＴを出力できる。
【００５５】
次に、図８を参照して、様々な出力用画像を複数のシートＴに形成する処理を具体的に説明する。
【００５６】
図８に示すように、第２移動軌跡２５１、第２移動軌跡２５２及び第２移動軌跡２５３が表示部２０に表示された状態で、ユーザーが、図４に示した第１移動軌跡２１０を表示部２０（検出部３０）上で描画する。第１移動軌跡２１０が描画されると、決定部１０１は、第１移動軌跡２１０に基づいて、複数の座席画像２０１の順番を決定する。画像形成部１４０は、異なる出力用画像を含む複数の出力用画像を複数のシートに決定された順番に従って形成する。この結果、決定された順番に従って複数のシートが出力される。
【００５７】
以上、図８を参照して説明したように、本実施形態の画像形成装置１によれば、様々な出力用画像が形成された複数のシートＴを複数の座席に配布することが容易になるように出力順を設定できる。
【００５８】
次に、図７、及び図９〜図１１を参照して、実施形態２に係る出力処理を説明する。図９は実施形態２に係る原稿Ｄの一例を示す。図１０は、実施形態２に係る画像形成装置１の出力物（シートＴ）の一例を示す。図１１は、実施形態２に係る出力処理のフローチャートである。
【００５９】
図９に示すように、原稿Ｄは答案用紙であり、原稿Ｄには、原稿画像３２０が形成されている。原稿画像３２０は、第１文字列３２１、第２文字列３２２、及び第３文字列３２３と、受験番号の表示欄３１２とを含む。
【００６０】
図１０に示すように、シートＴには、出力用画像３３０が形成されている。出力用画像３３０は、第１文字列３２１、第２文字列３２２、及び第３文字列３２３を含む。また、出力用画像３３０は、受験番号の表示欄３１２を含む。図１０に示す出力用画像３３０では、図９に示す原稿画像３２０と第１文字列３２１が強調表示されている点で異なる。具体的には、出力用画像３３０が含む第１文字列３２１は、太字の文字列を示す画像としてシートＴに形成されている。
【００６１】
次に図７及び図１１を参照して、実施形態２に係る出力処理について説明する。図１１のステップＳ２０１において、制御部１０は、画像読取部１１０が、図９に示す原稿Ｄから画像を読み取るように、画像読取部１１０を制御する。画像読取部１１０が原稿Ｄから原稿画像を読み取ることで、処理部１０２は原稿画像３２０（原稿画像の画像データ）を取得する。
【００６２】
ステップＳ２０２において、制御部１０は、検出部３０が表示部２０（検出部３０）上で第２移動軌跡２５０を検出したか否かを判定する。詳しくは、制御部１０は、検出部３０から送信される信号に基づいて、タッチペンの移動軌跡が複数の座席画像２０１のうち一部の座席画像２０１を囲む軌跡であるか否かを判定する。第２移動軌跡２５０を検出しないと判定された場合（ステップＳ２０２でＮｏ）、処理は図７のステップＳ１０２に進む。一方、図１１のステップＳ２０２において、第２移動軌跡２５０を検出したと判定された場合（ステップＳ２０２でＹｅｓ）、処理はステップＳ２０３に進む。
【００６３】
ステップＳ２０３において、処理部１０２は、パターンマッチングにより第２移動軌跡２５０が示す図形の種類を特定する。図８に示す例では、処理部１０２は、第２移動軌跡２５０のうち、第２移動軌跡２５１が示す図形の種類を楕円形と特定し、第２移動軌跡２５２が示す図形の種類を長方形と特定し、第２移動軌跡２５３が示す図形の種類を三角形と特定する。
【００６４】
ステップＳ２０４において、処理部１０２は、第２移動軌跡２５０により囲まれた座席画像２０１を特定する。図８に示す例では、処理部１０２は、第２移動軌跡２５１により囲まれた座席画像２０１として、図８に示す左端の列の３つの座席画像２０１（識別番号「Ａ００１」、「Ａ００２」、及び「Ａ００３」の座席）を特定する。また、処理部１０２は、第２移動軌跡２５２により囲まれた座席画像２０１として、図８に示す左から２番目の列の３つの座席画像２０１（識別番号「Ｂ００１」、「Ｂ００２」、及び「Ｂ００３」の座席）を特定する。また、処理部１０２は、第２移動軌跡２５３により囲まれた座席画像２０１として、図８に示す右端の列の３つの座席画像２０１（識別番号「Ｄ００１」、「Ｄ００２」、及び「Ｄ００３」の座席）を特定する。
【００６５】
ステップＳ２０５において、処理部１０２が、第２移動軌跡２５０が示す図形の種類に基づいて第１処理情報を記憶部４０から取得すると、処理は図７のステップＳ１０２に進む。具体的には、図１１のステップＳ２０５において、処理部１０２は、第２移動軌跡２５０のうち、第２移動軌跡２５１、第２移動軌跡２５２、及び第２移動軌跡２５３の各々に対応する第１処理情報を記憶部４０から読み出す。例えば、第２移動軌跡２５１に対応する第１処理情報は、図９に示す原稿画像３２０のうち第１文字列３２１（文字列「ＥＥＥ」）を強調する処理を示す。また、第２移動軌跡２５２に対応する第１処理は、原稿画像３２０のうち第２文字列３２２（文字列「ＦＦＦ」）を強調する処理を示す。更に、第２移動軌跡２５３に対応する第１処理は、原稿画像３２０のうち第３文字列３２３（文字列「ＧＧＧ」）を強調する処理を示す。
【００６６】
引き続いて、第２移動軌跡２５０を検出しないと判定（ステップＳ２０２でＮｏ）された後、及び第１処理情報を取得（ステップＳ２０５）した後に、制御部１０が実行する処理を説明する。つまり、図７のステップＳ１０２以降の処理を説明する。ステップＳ１０２以降の処理で、実施形態２が実施形態１と異なるのは、ステップＳ１０６の処理である。以下、実施形態２が実施形態１と異なる点を主に説明する。
【００６７】
図７のステップＳ１０６において、処理部１０２は、選択した座席画像２０１に対応した出力用画像３３０を生成する。具体的には、処理部１０２は、実施形態１と同様に（図６参照）、選択した座席画像２０１に関連付けられた識別情報を出力用画像３３０に含めるように、原稿画像３２０（原稿画像３２０の画像データ）に対して処理を実行する。なお、識別情報を出力用画像３３０に含める処理は、実施形態２においては必須ではなく、システムの設定によりキャンセルすることができる。また、処理部１０２は、選択した座席画像２０１を囲む第２移動軌跡２５０が存在する場合、第２移動軌跡２５０が示す図形に関連付けられた第１処理を原稿画像３２０（原稿画像３２０の画像データ）に対して実行する。例えば、選択した座席画像２０１が第２移動軌跡２５１により囲まれていれば、処理部１０２は、図９を参照して説明した文字列「ＥＥＥ」を強調表示するように、原稿画像３２０を処理する。選択した座席画像２０１が第２移動軌跡２５２により囲まれていれば、処理部１０２は、図９を参照して説明した原稿画像３２０のうち第２文字列３２２「ＦＦＦ」を強調表示するように、原稿画像３２０に対して処理を実行する。選択した座席画像２０１が第２移動軌跡２５３により囲まれていれば、処理部１０２は、図９を参照して説明した原稿画像３２０のうち第３文字列３２３「ＧＧＧ」を強調表示するように、原稿画像３２０を処理する。
【００６８】
以上、図７、及び図８〜図１１を参照して説明したように、本実施形態の画像形成装置１によれば、第２移動軌跡２５０が示す図形の種類に関連付けられた処理（第１処理）を原稿画像３２０に対して実行し、出力用画像３３０を生成することができる。従って、様々な出力用画像３３０が形成された複数のシートＴを複数の座席に容易に配布できる。
【００６９】
《実施形態３》
次に、図７、図１１、及び図１２〜図１４を参照して、本発明の実施形態３を説明する。図１２は、実施形態３に係る複合軌跡２３０の一例を示す図である。詳しくは、図１２は、図３に示す座席表画像２００に複合軌跡２３０が描画された図である。本実施形態において、複合軌跡２３０は、第３移動軌跡２３１と、第１移動軌跡２１０とを含む。
【００７０】
実施形態１においては、制御部１０は、第１移動軌跡２１０に基づいて出力用画像（出力用画像を示す画像データ）を生成した。また、実施形態２においては、制御部１０は、第２移動軌跡２５０に基づいて出力用画像（出力用画像を示す画像データ）を生成した。実施形態３においては、制御部１０は、第３移動軌跡２３１に基づいて出力用画像（出力用画像を示す画像データ）を生成する。以下、実施形態３が実施形態１及び実施形態２と異なる点を説明する。
【００７１】
実施形態３に係る検出部３０は、表示部２０（検出部３０）上で第３移動軌跡２３１を更に検出する。検出部３０は、検出した第３移動軌跡２３１を示す信号を制御部１０へ送信する。第３移動軌跡２３１は、表示部２０の座席領域２３２の外部でのタッチペンの移動軌跡を示す。座席領域２３２は、表示部２０のうち複数の座席画像２０１が表示されている領域を示す。本実施形態において、座席領域２３２は、複数の座席画像２０１の全てを含む矩形状の領域である。
【００７２】
図１２に示すように、第３移動軌跡２３１は、第１移動軌跡２１０の始点において、第１移動軌跡２１０と接続（一筆書きで描画）されている。図１２に示す第３移動軌跡２３１の形状は略円形である。処理部１０２は、パターンマッチングによって、第３移動軌跡２３１が示す図形の種類を特定する。具体的には、処理部１０２は、パターンマッチングによって、第３移動軌跡２３１が示す図形の種類が円形であると特定する。
【００７３】
処理部１０２は、第３移動軌跡２３１が示す図形の種類を特定すると、第２処理を実行する。第２処理は、第３移動軌跡２３１が示す図形の種類に関連付けられた処理である。記憶部４０は、第３移動軌跡２３１が示す図形の種類を示すデータと、第２処理を示すデータ（第２処理情報）とを関連付けたテーブルを記憶している。処理部１０２は、第３移動軌跡２３１が示す図形の種類と関連付けられた第２処理情報を記憶部４０から読み出す。処理部１０２は、記憶部４０から読み出した第２処理情報によって示される第２処理を原稿画像（原稿画像の画像データ）に対して実行する。例えば、円形の第３移動軌跡２３１に対応する第２処理は、氏名を個人の識別情報として出力用画像に含める処理を示す。
【００７４】
次に、図７、図１３及び図１４を参照して、実施形態３に係る出力処理を説明する。図１３は、実施形態３に係る画像形成装置１の出力物（シートＴ）の一例を示す図である。
【００７５】
図１３に示すように、シートＴには出力用画像３４０が形成されている。出力用画像３４０は、教室又は試験会場で各座席に配布される答案用紙を示す画像である。出力用画像３４０は、複数の回答欄３１１と、受験番号の表示欄３１２と、氏名の表示欄３１３とを含む。表示欄３１２には受験番号を示す画像（画像「Ａ００１」）が形成されている。表示欄３１３には、氏名を示す画像（画像「○○○○」）が形成されている。
【００７６】
次に、図７、図１１、及び図１４を参照して、実施形態３の出力処理を詳細に説明する。図１４は、実施形態３に係る出力処理のフローチャートである。
【００７７】
図１４のステップＳ３０１において、制御部１０は、画像読取部１１０が原稿から原稿画像を読み取るように、画像読取部１１０を制御する。画像読取部１１０が原稿から原稿画像を読み取ることで、処理部１０２は原稿画像（原稿画像データ）を取得する。本実施形態において、処理部１０２が取得する原稿画像は、図１３を参照して説明した出力用画像３４０のうち、表示欄３１２に形成された受験番号を示す画像（画像「Ａ００１」）と、表示欄３１３に形成された氏名を示す画像（画像「○○○○」）とを含まない画像である。
【００７８】
ステップＳ３０２において、制御部１０は、検出部３０が表示部２０（検出部３０）上でタッチペンによる第３移動軌跡２３１を検出したか否かを判定する。詳しくは、制御部１０は、検出部３０から送信される信号に基づいて、タッチペンの移動軌跡が座席領域２３２の外部での軌跡であるか否かを判定する。第３移動軌跡２３１を検出しないと判定された場合（ステップＳ３０２でＮｏ）、処理は図１１のステップＳ２０２に進む。一方、図１４のステップＳ３０２において、第３移動軌跡２３１を検出したと判定された場合（ステップＳ３０２でＹｅｓ）、処理はステップＳ３０３に進む。
【００７９】
ステップＳ３０３において、処理部１０２は、パターンマッチングによって、第３移動軌跡２３１が示す図形の種類を特定する。図１２に示す例では、処理部１０２は、第３移動軌跡２３１が示す図形の種類を円形と特定する。
【００８０】
ステップＳ３０４において、処理部１０２は、第３移動軌跡２３１が示す図形の種類に基づいて、第２処理情報を記憶部４０から取得する。具体的には、処理部１０２は、円形の第３移動軌跡２３１に対応する第２処理情報を取得する。本実施形態において、円形の第３移動軌跡２３１に対応する第２処理は、例えば、表示欄３１３に氏名を示す画像を形成する処理を示す。次いで、処理は図１１のステップＳ２０２に進む。
【００８１】
引き続いて、第３移動軌跡２３１を検出しないと判定（ステップＳ３０２でＮｏ）された後、及び第２処理情報を取得（ステップＳ３０４）した後に、制御部１０が実行する処理を説明する。つまり、図１１のステップＳ２０２以降の処理を説明する。ステップＳ２０２以降の処理で、実施形態３が実施形態１及び実施形態２と異なるのは、図７のステップＳ１０６の処理である。以下、実施形態３が実施形態１及び実施形態２と異なる点を主に説明する。
【００８２】
図７のステップＳ１０６において、処理部１０２は、選択した座席画像２０１に対応した出力用画像３４０（出力用画像３４０の画像データ）を生成する。具体的には、処理部１０２は、実施形態１（図６参照）と同様に、受験番号を示す画像（画像「Ａ００１」）が出力用画像３４０（図１３参照）に含まれるように、原稿画像（原稿画像の画像データ）に対して処理を実行する。なお、出力用画像３４０に受験番号を示す画像を含める処理は、実施形態３においては必須ではなく、システムの設定によりキャンセルすることができる。また、処理部１０２は、第３移動軌跡２３１を検出したと判定された場合（ステップＳ３０２でＹｅｓ）、図１３に示すように、出力用画像３４０に氏名を示す画像（画像「○○○○」）を含めるように、原稿画像（原稿画像の画像データ）に対して処理を実行する。
【００８３】
以上、図７、図１１、及び図１２〜図１４を参照して説明したように、本実施形態の画像形成装置１は、第３移動軌跡２３１が示す図形の種類に応じて原稿画像（原稿画像の画像データ）に対して第３処理を実行することができる。従って、第３移動軌跡２３１が示す図形の種類に応じて様々な処理を実行することができる。その結果、ユーザーは、原稿画像から様々な出力用画像３４０を得ることができ、様々な出力用画像３４０が形成されたシートＴを複数の座席に容易に配布できる。
【００８４】
なお、図１２に示す第１移動軌跡２１０は、図５に示す第１移動軌跡２１０と異なっている。図１２に示す第１移動軌跡２１０によれば、決定部１０１は、左端の列の最後尾（一番下）に位置する座席画像２０１（識別番号「Ａ００３」の座席）の順番を「２番」に決定し、左端の列の上から２番目に位置する座席画像２０１（識別番号「Ａ００２」の座席）の順番を「３番」に決定する。これにより、座席に着席する人（着席者）が入れ替わった場合であっても、図１２に示す第１移動軌跡２１０のように、座席画像２０１の配置に対してイレギュラーな順番を設定することができる。
【００８５】
以上、図１２を参照して説明したように、本実施形態の画像形成装置１によれば、第１移動軌跡２１０によって描画される軌跡（被検出物が移動する座席画像２０１の順番）を変更することで、複数のシートＴを出力する順番を変更することができる。その結果、着席者が入れ替わった場合、入れ替わった着席者の席順に応じて、複数のシートＴを出力することができる。
【００８６】
なお、第３移動軌跡２３１が示す図形に関連付けられた処理として、座席表画像２００を修正する修正処理を設定することができる。具体的には、ユーザーは、円形の第３移動軌跡２３１に関連付けられる処理として、座席表画像２００を修正する修正処理を設定することができる。円形の第３移動軌跡２３１に座席表画像２００を修正する修正処理が設定された場合において、処理部１０２は、表示部２０（検出部３０）上で、図１２に示す複合軌跡２３０が描画された場合に、決定部１０１によって決定される順番に従って、座席表画像２００における複数の座席画像２０１の配置を変更する。図１２に示す例では、処理部１０２は、座席表画像２００の左端の列における上から２番目の座席画像２０１（識別番号「Ａ００１」の座席）の位置と上から３番目の座席画像２０１（識別番号「Ａ００３」の座席）の位置とを入れ替える。その結果、実際の着席順に対応するように座席表画像２００を容易に修正することができる。
【００８７】
また、実施形態３においては、第３移動軌跡２３１の始端又は終端と第１移動軌跡２１０の終端又は始端とを接続することができる。具体的には、ユーザーは、座席領域２３２の外部で第３移動軌跡２３１を描くようにタッチペンを移動した後、タッチペンを表示部２０（検出部３０）から離間することなく、続けて第１移動軌跡２１０を描くようにタッチペンを移動させる。これにより、ユーザーは、一筆書きで第３移動軌跡２３１及び第１移動軌跡２１０を描くように、タッチペンを移動させることができる。その結果、第３移動軌跡２３１及び第１移動軌跡２１０が制御部１０に容易に入力される。
【００８８】
なお、実施形態３においては、第３移動軌跡２３１の始端又は終端と、第１移動軌跡２１０の終端又は始端とが接続されていなくてもよい。例えば、ユーザーは、座席領域２３２の外部で第３移動軌跡２３１を描くようにタッチペンを移動し、タッチペンを表示部２０（検出部３０）から一旦離間した後、第１移動軌跡２１０を描くようにタッチペンを移動できる。従って、ユーザーは、一筆書きではなく、第３移動軌跡２３１と第１移動軌跡２１０とを別個（不連続）に描くようにタッチペンを移動させることができる。その結果、例えば、ユーザーは、第３移動軌跡２３１を描いた後に、複数の座席画像２０１に設定する順番を再確認してから第１移動軌跡２１０を描くことができる。これにより、ユーザーは、複数のシートＴを各座席に配布するのに都合のよい順番を正確に設定できる。
【００８９】
《実施形態４》
次に、図７、図１４、及び図１５〜図１９を参照して、本発明の実施形態４を説明する。図１５は、実施形態４に係る複合軌跡２４０の一例を示す図である。詳しくは、図１５は、図３に示す座席表画像２００に複合軌跡２４０が描画された図である。本実施形態において、複合軌跡２４０は、第４移動軌跡２４１と、第１移動軌跡２１０とを含む。図１６は、実施形態４に係る画像形成装置１の出力物（シートＴ）の一例を示す。
【００９０】
実施形態３においては、制御部１０は、第３移動軌跡２３１に基づいて出力用画像（出力用画像の画像データ）を生成した。実施形態４においては、制御部１０は、第４移動軌跡２４１に基づいて出力用画像（出力用画像の画像データ）を生成する。以下、実施形態４が実施形態１〜実施形態３と異なる点を説明する。
【００９１】
実施形態４に係る検出部３０は、表示部２０（検出部３０）上で第４移動軌跡２４１を更に検出する。第４移動軌跡２４１は座席領域２３２の内部でのタッチペンの移動軌跡を示す。検出部３０は、検出した第４移動軌跡２４１を示す信号を制御部１０へ送信する。
【００９２】
図１５に示すように、複数の第４移動軌跡２４１は、座席領域２３２の内部に描画される。各第４移動軌跡２４１は、１つの座席画像２０１と重なるように描画される。また、複数の第４移動軌跡２４１の各々の形状は略円形である。制御部１０は、パターンマッチングによって、第４移動軌跡２４１の各々が示す図形の種類を特定する。具体的には、制御部１０は、第４移動軌跡２４１の各々が示す図形の種類を円形と特定する。本実施形態において、複数の第４移動軌跡２４１は、第１移動軌跡２１０と接続（一筆書きで描画）されている。
【００９３】
処理部１０２は、複数の座席画像２０１のうち、タッチペンの移動軌跡の内部に位置する座席画像２０１をタッチペンの移動軌跡（第４移動軌跡２４１）によって囲まれている座席画像２０１と特定する。処理部１０２は、複数の座席画像２０１のうち第４移動軌跡２４１によって囲まれていると特定された座席画像２０１に対応して、第３処理を実行する。第３処理は、第４移動軌跡２４１が示す図形の種類に関連付けられた処理である。記憶部４０は、第４移動軌跡が示す図形の種類データと、第３処理を示すデータ（第３処理情報）とを関連付けたテーブルを記憶している。制御部１０は、第４移動軌跡２４１が示す図形の種類に基づいて、第３処理情報を記憶部４０から読み出す。処理部１０２及び画像形成部１４０は、第４移動軌跡２４１によって特定された座席画像２０１に対応して、第３処理情報によって示される第３処理を原稿画像（原稿画像の画像データ）に対して実行する。第３処理情報は、例えば、原稿画像から特定の文字列を削除する処理、特定の表示欄を空欄にする処理、及び出力用画像をシートＴに形成しない処理を示す。
【００９４】
次に、図１４、図１６及び図１７を参照して、実施形態４に係る出力処理を説明する。
【００９５】
図１６に示すように、シートＴには出力用画像３５０が形成されている。出力用画像３５０は、教室又は試験会場で各座席に配布される答案用紙を示す画像である。出力用画像３５０は、複数の回答欄３１１と、受験番号の表示欄３１２と、氏名の表示欄３１３とを含む。表示欄３１２及び表示欄３１３は空欄である。
【００９６】
次に、図７、図１４、及び図１７を参照して、実施形態４の出力処理を説明する。図１７は、実施形態４に係る出力処理のフローチャートである。
【００９７】
図１７のステップＳ４０１において、制御部１０は、画像読取部１１０が原稿から原稿画像を読み取るように、画像読取部１１０を制御する。画像読取部１１０が原稿から原稿画像を読み取ることで、処理部１０２は原稿画像（原稿画像を示す画像データ）を取得する。本実施形態において原稿画像は、図１６を参照して説明した出力用画像３５０と同じ画像である。
【００９８】
ステップＳ４０２において、制御部１０は、検出部３０が表示部２０（検出部３０）上でタッチペンによる第４移動軌跡２４１を検出したか否かを判定する。詳しくは、制御部１０は、検出部３０から送信される信号に基づいて、タッチペンの移動軌跡が座席領域２３２の内部での軌跡であるか否かを判定する。第４移動軌跡２４１を検出しないと判定された場合（ステップＳ４０２でＮｏ）、処理は図１４のステップＳ３０２に進む。一方、図１７のステップＳ４０２において、第４移動軌跡２４１を検出したと判定された場合（ステップＳ４０２でＹｅｓ）、処理はステップＳ４０３に進む。
【００９９】
ステップＳ４０３において、処理部１０２は、パターンマッチングによって、第４移動軌跡２４１が示す図形の種類を特定する。具体的には、処理部１０２は、第４移動軌跡２４１が示す図形の種類を円形と特定する。
【０１００】
ステップＳ４０４において、処理部１０２は、第４移動軌跡２４１が示す図形の種類に基づいて、記憶部４０から第３処理情報を取得し、処理は図１４のステップＳ３０２に進む。具体的には、図１７のステップＳ４０４において、処理部１０２は、円形の第４移動軌跡２４１に対応する第３処理情報を取得する。本実施形態において、円形の第４移動軌跡２４１に対応する第３処理は、例えば、出力用画像３５０に受験番号を示す画像を含めない処理を示す。
【０１０１】
引き続いて、第４移動軌跡２４１を検出しないと判定（ステップＳ４０２でＮｏ）された後、及び第３処理情報を取得（ステップＳ４０４）した後に、制御部１０が実行する処理を説明する。つまり、図１４のステップＳ３０２以降の処理を説明する。ステップＳ３０２以降の処理で、実施形態４が実施形態１〜実施形態３と異なるのは、図７のステップＳ１０６の処理である。以下、実施形態４が実施形態１〜実施形態３と異なる点を主に説明する。
【０１０２】
図７のステップＳ１０６において、処理部１０２は、選択した座席画像２０１に対応した出力用画像３５０（出力用画像３５０の画像データ）を生成する。具体的には、選択した座席画像２０１に第４移動軌跡が重なっていない場合、処理部１０２は、実施形態１と同様に（図６参照）、出力用画像に受験番号を示す画像を含めるように、原稿画像（原稿画像の画像データ）に対して処理を実行する。一方、選択した座席画像２０１に第４移動軌跡２４１が重なっている場合、処理部１０２は、図１６に示すように、出力用画像３５０に受験番号を示す画像が含まれないように、原稿画像（原稿画像の画像データ）に対して処理を実行する。
【０１０３】
以上、図７、図１４、及び図１５〜図１７を参照して説明したように、本実施形態の画像形成装置１は、複数の座席画像２０１のうち第４移動軌跡２４１によって特定された座席画像２０１に対応して、第４処理（第４移動軌跡２４１が示す図形の種類に関連付けられた処理）が実行される。従って、特定の座席画像２０１に配布するシートＴに他の座席画像２０１とは異なる出力用画像３５０を形成することができる。その結果、例えば、ユーザーは、予定の受験者と異なる受験者が特定の座席に着席した場合に、特定の座席に配布するための答案用紙として、受験番号及び氏名を示す画像が形成されていない答案用紙を配布することができる。
【０１０４】
なお、実施形態４においては、第４移動軌跡２４１と、第１移動軌跡２１０とは、一筆書きで描画される。具体的には、ユーザーは、第１移動軌跡２１０を描くようにタッチペンを移動する途中で、特定の座席画像２０１に重ねて第４移動軌跡２４１を描くようにタッチペンを移動させることができる。
【０１０５】
以上説明したように、本実施形態の画像形成装置１によれば、第４移動軌跡２４１と、第１移動軌跡２１０とは一筆書きで描画される。従って、第４移動軌跡２４１及び第１移動軌跡２１０を制御部１０に容易に入力できる。
【０１０６】
なお、実施形態４においては、第４移動軌跡２４１と、第１移動軌跡２１０とは、一筆書きで描画されなくてもよい。例えば、ユーザーは、座席領域２３２の内部で少なくとも１つの第４移動軌跡２４１を描くようにタッチペンを移動した後、第１移動軌跡２１０を描くようにタッチペンを移動させることができる。従って、ユーザーは、第４移動軌跡２４１と第１移動軌跡２１０とを別個（不連続）に描くようにタッチペンを移動させることができる。その結果、ユーザーは、例えば第４移動軌跡２４１を描いた後に、複数の座席画像２０１に設定する順番を再確認してから、第１移動軌跡２１０を描くことができる。これにより、ユーザーは、複数のシートＴを各座席に配布するのに都合のよい順番を正確に設定できる。
【０１０７】
また、本実施形態に係る画像形成装置１は、第４移動軌跡２４１により特定された座席画像２０１に対応して、画像形成部１４０に、シートＴに出力用画像を形成させない（出力物を出力させない）ように設定することができる。その結果、欠席者がいる場合に、複数のシートＴを欠席者以外の座席に容易に配布できる。欠席者に対しては、後日に画像をシートＴに形成し、配布することができる。あるいは、欠席者に対応する出力用画像を電子メールによって、欠席者に送信することができる。
【０１０８】
更に、第４移動軌跡２４１により特定された座席画像２０１に対応して、処理部１０２は、原稿の翻訳文を示す出力用画像を生成することができる。具体的には、原稿の翻訳文を予め準備し、翻訳文を示す画像データを記憶部４０に記憶させる。処理部１０２は、第４移動軌跡２４１により特定された座席画像２０１に対応して、翻訳文を示す画像データに基づいて出力用画像を生成する。そして、画像形成部１４０は、第４移動軌跡４１により特定された座席画像２０１に配布するシートＴとして、翻訳文を示す出力用画像が形成されたシートＴを出力する。その結果、例えば日本語以外の言語を使用して受験する受験者と、日本語を使用して受験する受験者とが混在する場合に、複数のシートＴを各座席に容易に配布できる。
【０１０９】
更に、処理部１０２は、識別情報のリストを作成することもできる。以下、図１８及び図１９を参照して、制御部１０が実行するリスト作成処理を説明する。図１８は、実施形態４に係る複合軌跡２６０の一例を示す。詳しくは、図１８は、図３に示す座席表画像２００に複合軌跡２６０が描画された図である。複合軌跡２６０は、第４移動軌跡２６１と第１移動軌跡２１０とを含む。図１９は、リスト作成処理の出力物（シートＴ）の一例を示す。
【０１１０】
図１８に示すように、ユーザーが、表示部２０（検出部３０）上で複数の座席画像２０１を通過し且つジグザグ線を描くように、タッチペンを移動させると、表示部２０は、複数の座席画像２０１を含む座席表画像２００と、複合軌跡２６０とを表示する。本実施形態において、第４移動軌跡２６１は第１移動軌跡２１０と一体的に描画されている。より具体的には、第１移動軌跡２１０は第４移動軌跡２６１を含む。第４移動軌跡２６１は、第１移動軌跡２１０のうちのジグザグ線の部分に相当する。決定部１０１は、第１移動軌跡２１０に基づいて、複数の座席画像２０１の順番を決定する。処理部１０２は、複数の座席画像２０１のうち第４移動軌跡２６１が特定した座席画像２０１に対応して、個人の識別情報を記憶部４０から取得し、識別情報のリストを作成する。リストにおいて、個人の識別情報が並ぶ順番は、決定部１０１が決定した順番に従う。
【０１１１】
図１９に示すように、シートＴには、出力用画像３６０が形成されている。出力用画像３６０は氏名リストを示し、複数の氏名画像３１４を含む。氏名画像３１４は、個人の識別情報としての氏名を示す。
【０１１２】
以上、図１８及び図１９を参照して説明したように、本実施形態の画像形成装置１は、複数の座席画像２０１のうち第４移動軌跡２６１が特定した座席画像２０１に対応して、個人の識別情報を含むリストを作成できる。
【０１１３】
以上、図面（図１〜図１９）を参照しながら本発明の実施形態について説明した。本実施形態の画像形成装置１によれば、表示部（検出部）上での被検出物の第１移動軌跡が検出され、第１移動軌跡に基づいて、複数の座席画像の順番が決定される。従って、複数のシートを複数の座席に配布することが容易になるように出力順を設定できる。
【０１１４】
但し、本発明は、上記の実施形態に限られるものではなく、その要旨を逸脱しない範囲で種々の態様において実施することが可能である（例えば、下記（１））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【０１１５】
（１）本発明の実施形態においては、第１移動軌跡２１０は、被検出物が複数の座席画像２０１上を通過するように移動したときの被検出物の移動軌跡を示している。具体的には、検出部３０は、タッチペンが表示部２０（検出部３０）上で移動する軌跡を第１移動軌跡２１０として検出している。本発明はこれに限られず、第１移動軌跡２１０は、表示部２０の表示物（カーソル等）が表示部２０（検出部３０）上で移動する移動軌跡であってもよい。表示物は、例えば、画像形成装置１の操作部におけるテンキー操作又は矢印ボタン操作により表示部２０上で移動可能に構成する。そして、制御部１０には、テンキー操作又は矢印ボタン操作による表示物の移動軌跡が第１移動軌跡２１０として入力される。なお、テンキー操作又は矢印ボタンによる表示物の移動軌跡が、第２移動軌跡２５０、第３移動軌跡２３１又は第４移動軌跡２４１として制御部１０に入力されてもよい。
【産業上の利用可能性】
【０１１６】
本発明は、表示装置及び画像形成装置に関するものであり、産業上の利用可能性を有する。
【図１】
0006583550.tif 000002
【図２】
0006583550.tif 000003
【図３】
0006583550.tif 000004
【図４】
0006583550.tif 000005
【図５】
0006583550.tif 000006
【図６】
0006583550.tif 000007
【図７】
0006583550.tif 000008
【図８】
0006583550.tif 000009
【図９】
0006583550.tif 000010
【図１０】
0006583550.tif 000011
【図１１】
0006583550.tif 000012
【図１２】
0006583550.tif 000013
【図１３】
0006583550.tif 000014
【図１４】
0006583550.tif 000015
【図１５】
0006583550.tif 000016
【図１６】
0006583550.tif 000017
【図１７】
0006583550.tif 000018
【図１８】
0006583550.tif 000019
【図１９】
0006583550.tif 000020